(57)【要約】【課題】  従来のテントを張るには、テントのフレームの形状を事前に測りシートを工場で裁断、加工して、シートの端に鳩目リングを取付け、シートを紐でテントのフレームに巻き付けて取付けていたので能率や美観が悪くい。【解決手段】長尺板の短辺を、断面がＵ字型状になるように曲げて、Ｕ字型の開口している両端を全長に渡って内側に曲げ開口部を狭めることで、全体が棒状になったＵ字型開口パイプにして、Ｕ字型開口パイプの底辺に別の長尺板の短辺を全長に渡って下方に湾曲させた板を板足として長手方向に一体化させ、板足には、適宜にビス穴を設けてビスやボルトでフレームに取付け、Ｕ字型開口パイプの開口部からシートと共に挿入パイプをＵ字型開口パイプの内側に挿入することでシートを取付けるシート取付け金具。  【選択図】  図７
2008133652.tif 000002
【特許請求の範囲】
【請求項１】
長尺板の短辺の断面がＵ字型状になるように全長に渡って曲げて、Ｕ字型の開口している両端も全長に渡って内側に曲げて開口部を狭めることで、全体が棒状になったＵ字型開口パイプにし、別の長尺板の短辺を全長に渡って下方に曲げて湾曲した板（以後板足する）にし、Ｕ字型開口パイプの底辺に同じ方向で一体化させ、板足には、適宜にビス穴を設けてビスやボルトでフレームに取付けて、Ｕ字型開口パイプの開口部からシートと共に挿入パイプをＵ字型開口パイプの内側に挿入することでシートを取付けるシート取付け金具。
【請求項２】
Ｕ字型開口パイプが長手方向に開口したＵ字型の開口している両端を全長に渡って内側に曲げて開口部を狭めて、さらに、その最先端を全長に渡って外側に開くように曲げて広げることで開口縁となり挿入パイプが容易に挿入できるようにした請求項１のシート取付け金具。
【請求項３】
Ｕ字型開口パイプがフレームと接触する部分を全長に渡って内側に凹ませて、フレームに接触する部分に適宜な間隔でビス穴を設けてフレームへの取付けを安定させた請求項１と請求項２のシート取付け金具。
【請求項４】
Ｕ字型開口パイプの底部の板足との接触部分を残して、Ｕ字型開口パイプの開口部より底部近辺まで輪切り状に欠き込みを設け、Ｕ字型開口パイプと一体になっている板足にも隙間を設けて、板足が断続して設けてある請求項１と請求項２のシート取付け金具。
【請求項５】
挿入パイプの一部を長手方向に帯状に残して、他の部分を適宜な間隔で隙間が空くように輪切り状に欠き込みを設けた挿入パイプで請求項１から請求項４のシート取付け金具。
【発明の詳細な説明】
【技術分野】
【０００１】
本発明は、鉄パイプ等のフレームに紐を使わずにシートを張り付けることができるテントのシート取付け金具である。
【背景技術】
【０００２】
従来のテントはシートの端に穴の開いた鳩目金具を取付け、このリングに紐を通してテントのフレームに紐で巻き付けてシートを張り付けているが、手間もかかり非能率で外観としても止める紐が見えるので美観が悪い。
【特許文献１】特開２００２−１８０７０１
【発明の開示】
【発明が解決しようとする課題】
【０００３】
従来のテントを張る方法は、テントのフレームの形状を事前に測り裁断して、シートの端に鳩目金具を取付け、シートを紐でテントのフレームに巻き付けて取付けていたので何度か取付ける現場に通う必要があり、紐で取付けるのでフレームとシートの間に隙間ができる。
【課題を解決するための手段】
【０００４】
請求項１の発明は、長尺板の短辺の断面を全長に渡ってＵ字型状になるように曲げて、Ｕ字型の開口している両端も全長に渡って内側に曲げ開口部を狭めることで、全体が棒状になったＵ字型開口パイプにし、別の長尺板の短辺を下方に湾曲させ、Ｕ字型開口パイプの長手方向にＵ字型開口パイプの底辺と一体化（製造段階で同時に一体化させてもよい）させ、板足には、適宜にビス穴を設けてビスやボルトでフレームに取付けて、Ｕ字型開口パイプの開口部からシートと共に挿入パイプをＵ字型開口パイプの内側に挿入することでシートを取付けることを特徴とする。
【０００５】
請求項２の発明は、長手方向に開口したＵ字型開口パイプのＵ字型の開口している両端を全長に渡って内側に曲げて開口部を狭めて、さらに、その最先端を全長に渡って外側に開くように曲げて広げることで開口縁となり、挿入パイプが容易に挿入できるようにしたことを特徴とする。
【０００６】
請求項３の発明は、Ｕ字型開口パイプをフレームに取付けるとき、（図８では底辺）Ｕ字型開口パイプと接触する部分を全長に渡って内側に凹ませてフレームに接触する部分を適宜な間隔でビス穴を設けてフレームへの取付けを安定させることを特徴とする。
【０００７】
請求項４の発明は、Ｕ字型開口パイプの底部と板足の接触部分を残して、Ｕ字型開口パイプの開口部より底部近辺まで輪切り状に欠き込み隙間を設け、Ｕ字型開口パイプと一体化している板足も板足と板足の隙間が断続して設けてある請求項１と請求項２のシート取付け金具。
【０００８】
請求項５の発明は、挿入パイプの一部を長手方向に帯状に残して、他の部分を適宜な間隔で隙間が空くように輪切り状に欠き込みを設けたことを特徴とする。
【発明の効果】
【０００９】
テントのフレームにシートを張るとき、フレームに張るシートを事前に採寸し、工場で裁断加工し、紐を通す鳩目リングを付けたりする作業が不要で、テントのフレームに本発明のテントのシート取付け金具を取付け、フレームより大きめのシートを用意し、現場で紐を使わずシートを張ることができる。
【発明を実施するための最良の形態】
【００１０】
長尺板の短辺の断面を全長に渡ってＵ字型状になるように曲げて、Ｕ字型の開口している両端をさらに全長に渡って内側に曲げて開口部を狭めるのであるが、市販のパイプを加工することにより同型のＵ字型開口パイプ１を造ることができる。パイプの長手方向に適宜な切り込みを入れると前記のＵ字型開口パイプ１と同型の開口パイプとなり板足３をＵ字型開口パイプ１の底部に取付け一体化させて、この開口部よりシートと共に挿入パイプ２がＵ字型開口パイプ１の内側に入るようにする。
本発明のシート取付け金具の実施例を図面で説明する。
【実施例１】
【００１１】
図１は構造物であるフレーム６にテントのシートを張るには、本発明テントのシート取付け金具の開口部を上向きにしてフレーム６にビス穴４からビス５で取付け、フレーム６の枠全体にシート７を被せて、Ｕ字型開口パイプ１の上に重なったシート７の上から挿入パイプ２を挿入する。
【００１２】
図２と図３はＵ字型開口パイプ１の開口部に挿入パイプ２を挿入し易くするため開口縁１１を設けたＵ字型開口パイプ１と挿入パイプ２の一部である。
【００１３】
図４は、本発明のシート取付け金具の挿入パイプ２がＵ字型開口パイプ１に挿入した一部分のＢ−Ｂ’の断面図（図５）でシート７を強固に取付けるため開口縁１１にボルト穴４２を設ける。
【００１４】
図５は、本発明テントのシート取付け金具の図面を見易くするためにシート７を挟まず表示するＡ−Ａ’の断面図であるが、本発明テントのシート取付け金具に挿入パイプ２を挿入し、シート７を強固に止めるため開口縁１１の側面をボルト４３で締付けると開口縁１１の開口部が狭まり、シート６の取付けが強固になまる。
【００１５】
図６は、開口縁１１の側面をボルト４３で締付けると強固にシート７を止めることができる図５の上面図である。
【００１６】
図７は、テントを張るフレーム６の上部に本発明のシート取付け金具をビス穴４よりビス５を電気ドライバー等で止めて、シート７をＵ字型開口パイプ１の上に載せ、開口縁１１より挿入パイプ２をＵ字型開口パイプ１の内側に挿入してシート７を止めてＵ字型開口パイプ１の外側の不要なシート７は、開口縁１１の外側で切断する。網戸サッシの網を張る要領でシートを張る。
【００１７】
図８は、Ｕ字型開口パイプ１がフレーム６と接触する部分を板足３の代わりにＵ字型開口パイプ１の底部を全長に渡って凹ませてフレーム６に密着するようにした密着窪み３２を設けて、適宜な間隔でボルト穴４２を設け、挿入パイプ２にも挿入パイプ固定穴４１を設けフレーム６にも穴を開けて、各穴をボルトで貫通させれば、フレーム６への取付けを確実にさせられる。ここでは、Ｕ字型開口パイプ１の開口部を上部と言い下部を底部と言っているが側面に密着窪み３２を設けてもよい。
【００１８】
図９は、フレーム６に本発明テントのシート取付け金具の取付け強度を出すために幅広板足３１にして、ビス穴４とボルト穴４２を設けた。
【００１９】
図１０は、フレーム６に合わせるために、曲げたＵ字型開口パイプ１に挿入パイプ２を挿入し易くするために、挿入パイプ２の一部を長手方向に帯状に残して、他の部分を適宜な間隔で隙間が開くように輪切り状に欠き込み隙間８を設けたＵ字型開口パイプ１の内側に挿入する欠き込み挿入パイプ２１である。
【００２０】
図１１は、曲ったフレーム６に合わせるために、Ｕ字型開口パイプ１を曲げて取付け易くするためＵ字型開口パイプ１の底部と足板３の接続部分を残して、Ｕ字型開口パイプ１の開口部より底部の足板３の接続部分まで輪切り状に欠き込み隙間８を設け、板足３も断続して欠き込み隙間８を設ける。
【産業上の利用可能性】
【００２１】
テントのフレームを採寸のため現場に出向く必要もなく、工場加工が不要でシートを紐でフレームに巻き付ける必要もなく、本発明のテントのシート取付け金具を使えばシートを工場で加工せず現場でシートを張ることができる。
【図面の簡単な説明】
【００２２】
【図１】テントのフレームにシート取付け金具を取付けてシートを張った平面図である。
【図２】Ｕ字型開口パイプと板足の斜視図である。
【図３】挿入パイプの斜視図である。
【図４】本発明のテントのシート取付け金具に挿入パイプを挿入したＢ−Ｂ’の断面図である。
【図５】本発明のテントのシート取付け金具に挿入パイプを挿入したＡ―Ａ’の断面図である。
【図６】本発明のテントのシート取付け金具に挿入パイプを挿入した上部からの平面図である。
【図７】本発明のテントのシート取付け金具をテントのフレームに取付け、挿入パイプでシートを止めたＡ―Ａ’の断面図である。
【図８】フレームに安定させて取付けるために、Ｕ字型開口パイプの底部を内側に凹ませて挿入パイプでシートを止めた断面図である。
【図９】Ｕ字型開口パイプの板足に幅広板足を設け一体化して挿入パイプでシートを止めた断面図である。
【図１０】切り込み隙間を設けた挿入パイプの側面図である。
【図１１】切り込み隙間を設けたＵ字型開口パイプの平面図である。
【符号の説明】
【００２３】
１          Ｕ字型開口パイプ
１１        開口縁
２          挿入パイプ
２１        欠き込み挿入パイプ
３          板足
３１        幅広板足
３２        密着窪み
４          ビス穴
４１        挿入パイプ固定穴
４２        ボルト穴
４３        ボルト
５          ビス
６          フレーム
７          シート
８          欠き込み溝隙間
【図１】
2008133652.tif 000003
【図２】
2008133652.tif 000004
【図３】
2008133652.tif 000005
【図４】
2008133652.tif 000006
【図５】
2008133652.tif 000007
【図６】
2008133652.tif 000008
【図７】
2008133652.tif 000009
【図８】
2008133652.tif 000010
【図９】
2008133652.tif 000011
【図１０】
2008133652.tif 000012
【図１１】
2008133652.tif 000013